(57)【要約】      （修正有）【課題】より多様な商品配置を可能とする商品陳列用具を提供する。【解決手段】商品陳列用具１０は、天板１２と、天板にこれと重ね合わせ可能に枢着された２以上の脚１４とを含む。天板はこれに重ね合わされるときの脚を収容するための空間３８を有する。【選択図】図２
0003104437.tif 000002
【実用新案登録請求の範囲】
【請求項１】
天板と、該天板にこれと重ね合わせ可能に枢着された２以上の脚とを含む、商品陳列用具。
【請求項２】
前記天板は、該天板に重ね合わされるときの前記脚を収容するための空間を有する、請求項１に記載の商品陳列用具。
【請求項３】
前記天板は前記脚が枢着された側部を有する、請求項１に記載の商品陳列用具。
【請求項４】
前記天板は互いに平行な複数の溝が設けられた表面を有する、請求項１に記載の商品陳列用具。
【請求項５】
前記脚は前記天板に重ね合わされた状態から９０度の角度を枢動可能である、請求項１に記載の商品陳列用具。
【請求項６】
前記脚は板体からなる、請求項１に記載の商品陳列用具。
【考案の詳細な説明】
【技術分野】
【０００１】
本考案は、スーパーマーケットのような店舗におかれる陳列台に商品を並べる際に用いられる商品の陳列用具に関する。
【背景技術】
【０００２】
従来、このような用途に供される商品陳列用具として、並列に配置された３つの板部材を有し、中央の板部材に対してその両側方に位置する２つの板部材がそれぞれ枢着されたものが提案されている。この商品陳列具にあっては、両側方の２つの板部材が、それぞれ、中央の板部材に対してこれと同一平面にある状態から９０度の角度の範囲を枢動可能とされている。
【０００３】
【特許文献１】特開２００３−１３５２３０号公報
【考案の開示】
【考案が解決しようとする課題】
【０００４】
この商品陳列用具によれば、その中央の板部材をその両側方の板部材で支持する形態で、これらの板部材の上に商品をおいて陳列することができる。
【０００５】
しかし、前記従来の商品陳列用具の形態は、中央の板部材に対して側方の板部材の角度を変更してなるものに限られ、商品の陳列の多様性を図る上で未だ十分でない。
【０００６】
本考案の目的は、より多様な商品配置を可能とする商品陳列用具を提供することにある。
【課題を解決するための手段】
【０００７】
本考案に係る商品陳列用具は、天板と、該天板にこれと重ね合わせ可能に枢着された２以上の脚とを含む。
【０００８】
前記天板について、該天板に重ね合わされるときの前記脚を収容するための空間を有するものとし、前記脚が枢着された側部を有するものとし、あるいは互いに平行な複数の溝が設けられた表面を有するものとすることができる。
【０００９】
前記脚について、該脚が前記天板に重ね合わされた状態から９０度の角度を枢動可能であるものとし、あるいは板体からなるものとすることができる。
【考案の効果】
【００１０】
本考案によれば、２以上の脚が天板に対してこれと重ね合わせ可能に枢着されていることから、前記天板を前記脚で水平に支持する態様、前記天板を前記脚で斜めに支持する態様、及び全ての脚を折り畳んで前記天板に重ね合わせた態様のいずれかを選択採用することができ、これにより前記天板上に商品を載せて行う商品陳列をより多様なものとすることができる。
【００１１】
前記天板がこれに重ね合わされる前記脚のための収容空間を有するものとするときは、全体の厚さを実質的に天板の厚さとすることができる。これによれば、例えば商品陳列用具を冷蔵ショーケース内に配置するときの該ショーケース内におけるスペース確保に役立つ。
【００１２】
前記脚は前記天板の側部に枢着することができる。また、前記脚は前記天板に重ね合わされた状態から前記天板と直交する状態に至るように９０度の角度を枢動するものとすることができる。前記脚は、板状を呈するものとすることができる。
【考案を実施するための最良の形態】
【００１３】
図１を参照すると、本考案に係る商品陳列用具が全体に符号１０で示されている。
【００１４】
商品陳列用具１０は、天板１２と、該天板に枢着された２つの脚１４とを含む。
【００１５】
商品陳列用具１０は、図１に示す態様においては、天板１２が両脚１４により水平に支持され、後述する陳列台上や、冷蔵ショーケース内におかれる。
【００１６】
天板１２は、図示の例では矩形の平面形状を有する。前記天板の平面形状について、これを前記矩形以外のものを選択することは任意である。天板１２は、生鮮食料品のような商品が載置される面である表面１６を有する。天板１２には、好ましくは、その表面１６に開放する互いに平行な複数の溝１８が設けられている。溝１８には、仕切り板（図示せず）を差し込むことができる。前記仕切り板は天板１２の表面１６を複数の区画に仕切り、また表面１６上の商品の転動、滑動等を防ぐストッパとしての作用をなす。
【００１７】
天板１２はその表面１６に相対する裏面２０（図５）を有する。天板１２は、その縁辺である矩形の四辺に沿って伸びる２対の相対する側部２２，２４を有する。天板１２は、好ましくは、その裏面２０に設けられ縦横に交差する複数のリブ２６，２８（図２参照）により補強されている。リブ２６及びリブ２８はそれぞれ側部２２及び側部２４と平行に伸びている。
【００１８】
２つの脚１４は、それぞれ、図示の例では細長い矩形の板体２９からなり、天板の一対の側部２４に沿って伸びている。図示の例に代えて、全体にコ字形を呈し、その２つの自由端が後記陳列台に接する２つの脚とし、天板１２の四隅に位置する４つの脚とし、あるいは天板の一方の側部２４の両端部の近傍に位置する２つの脚と、他方の側部２４のほぼ中間部に位置する１つの脚とすることができる。
【００１９】
板体２９は天板の両側部２４の相互間隔の１／２より小さい幅寸法を有する。このため、両脚１４が天板１２に重ね合わされたとき、両脚１４相互間に隙間が存する。板体２９には、好ましくは、その一方の面に設けられ縦横に交差する複数のリブ３０，３２（図２参照）により補強されている。リブ３０及びリブ３２はそれぞれ天板の側部２２及び側部２４と平行に伸びている。
【００２０】
各脚１４は、より正確にはそのリブ３０，３２の部分において、天板の一対の側部２２の間にまた他の各側部２４に近接して配置され、両側部２２間を天板１２の後記厚さ方向へ移動可能である。また、各脚１４は、天板１２と重なり合うとき、そのリブ３０，３２が天板の一方のリブ２６間で他方のリブ２８と対向し、また板体２９がその両端部において天板の両側部２２に接する。
【００２１】
各脚１４は、その両端部に設けられ天板１２の各側部２４の伸長方向へ伸びる２つのピン部３４を有する。他方、天板の各側部２２はその両端部に設けられた２つの長穴３６を有する。各長穴３６は、上下方向すなわち天板の厚さ方向へその表裏面１６，２０の一方から他方へ向けて伸びている。各脚１４の両ピン部３４は、それぞれ、天板の両側部２２の一方の端部における両長穴３６に差し込まれ、両側部２２，２４が取り囲む空間３８の内方から外方に向けて伸びている。
【００２２】
このことから、各脚１４は、天板１２に対して、そのピン部３４の軸線の周りに枢動可能であり、長穴３６の範囲内で該長穴の長手方向すなわち上下方向へ移動可能である。
【００２３】
これによれば、ピン部３４が長穴３４の上端位置（図１及び図４に示す位置）にあるとき、各脚１４は天板１２に対して直交しかつ接した状態で直立する。このとき、各脚１２はその周囲を部分的に取り巻く天板の一対の側部２２と一の他の側部２４とにより、天板１２に対する直立状態を維持するように拘束される。これにより、両脚１４で天板１２を水平に支持し（図１）、あるいは片方の脚１４で天板１２を斜めに支持（図６）することができる。
【００２４】
商品陳列用具１０は、平板からなる陳列台（図示せず）や、複数の縦桟４２を有するフレーム４０からなる陳列台の上に配置することができる（図６）。特に、各脚１４が細長い板体２９からなる図示の例によれば、各脚１４を平行に伸びる２つの縦桟４２上に差し渡すことによりフレーム４０上に天板１２を容易に配置することができる。
【００２５】
また、脚１４のピン部３４が長穴３６の下端位置（図３及び図５に示す位置）にあるときは、各脚１４は天板１２に対して折り畳まれた状態すなわち重ね合わされた状態（図３に示す状態）におかれる。このとき、脚１４の大部分がこれを収容可能である天板の空間３８に納まり、天板１２の厚さ寸法の増大が回避される。ピン部３４が長穴３６の前記下端位置にあって直立状態（図５に示す状態）にある脚１４は、これを天板の裏面２０に向けて９０度の角度を枢動させることにより、天板の空間３８に収容された状態（図３に示す状態）にすることができる。このとき、両脚１４の板体２９が実質的に天板１２の底面を規定する。
【００２６】
好ましくは、天板１２内に収容された脚１４の反対方向への枢動を一時的に禁止するため、突起のような凸部４４とこれを受け入れる丸孔のような凹部４６とを、それぞれ、脚１４の各端部と天板の側部２２とに設けることができる（図１及び図３参照）。脚１４の枢動時、凸部４４は、凹部４６に対して、その弾性的な変形により受け入れられ、またこれを脱する。
【００２７】
逆に、天板１２に重ね合わされた状態の脚１４は、これを反対方向へ９０度の角度を枢動させることにより、天板１２に対して直角をなすように立てることができ、次いで脚１４を天板の裏面２０に向けて押し下げることにより、前記直立状態とすることができる。
【００２８】
好ましくは、このときの脚１４の枢動を容易にするための手がかり、例えば指を差し込むことができる大きさの凹所４８が板体２９の一方の長手方向縁部に設けられている。
【００２９】
天板１２を所定の高さ位置に水平に支持し、あるいは斜めに支持し、さらに脚１４を天板１２内に納めることにより、前記陳列台上あるいは冷蔵ショーケース内における天板１２の高さ位置や配置形態を種々に変更することができ、これにより、天板１２上に載置される商品の形状、大きさ等に応じた効果的なディスプレイを考慮した多様な商品陳列を実現することができる。
【００３０】
図７〜図１３に示すように、商品陳列用具１０は、より多様な商品配列を可能とすべく、これらの複数個（図示の例では２つ）を組み合わせて配置することができる。これらの図示の例では、２つの商品陳列用具１０が傾斜状態におかれたフレーム４０上に配置されている。
【００３１】
図７に示す例では、両商品陳列用具１０が、それぞれ両脚１４が天板１２に対して直立しかつ互いに接した状態で配置されている。
【００３２】
図８に示す例では、両商品陳列用具１０が、それぞれ両脚１４が天板１２に重ね合わされかつ互いに接した状態で配置されている。
【００３３】
図９に示す例では、両脚１４が天板１２に重ね合わされた状態の商品陳列用具１０と、両脚１４が天板１２に対して直立した状態の商品陳列用具１０とが互いに接した状態で配置されている。
【００３４】
図１０に示す例では、図９に示す両商品陳列用具１０が互いに反対の位置にある状態で配置されている。
【００３５】
図１１に示す例では、一方の脚１４が天板１２に重ね合わされかつ他方の脚１４が天板１２に対して直立した状態にある２つの商品陳列用具１０が、互いに接して配置されている。この例は、図６に示す例におけると反対の向きに配置されている。
【００３６】
図１２及び図１３に示す例では、それぞれ一方の脚１４が天板１２に重ね合わされかつ他方の脚１４が天板１２に対して直立した状態にある２つの商品陳列用具１０が、直立した脚１４の側において互いに接した状態（図１２）及び重ね合わされた脚１４の側において互いに接した状態（図１３）で配置されている。
【図面の簡単な説明】
【００３７】
【図１】商品陳列用具の一形態における斜視図である。
【図２】図１に示す形態の商品陳列具をその裏面側から見た斜視図である。
【図３】商品陳列用具の他の形態における斜視図である。
【図４】商品陳列用具の部分断面斜視図である。
【図５】商品陳列用具の部分断面斜視図である。
【図６】陳列台上におかれた商品陳列用具の斜視図である。
【図７】陳列台上における２つの商品陳列用具の配置例を示す側面図である。
【図８】陳列台上における２つの商品陳列用具の他の配置例を示す側面図である。
【図９】陳列台上における２つの商品陳列用具の他の配置例を示す側面図である。
【図１０】陳列台上における２つの商品陳列用具の他の配置例を示す側面図である。
【図１１】陳列台上における２つの商品陳列用具の他の配置例を示す側面図である。
【図１２】陳列台上における２つの商品陳列用具の他の配置例を示す側面図である。
【図１３】陳列台上における２つの商品陳列用具の他の配置例を示す側面図である。
【符号の説明】
【００３８】
１０  商品陳列用具
１２  天板
１４  脚
１８  溝
２９  板体
３８  収容空間
【図１】
0003104437.tif 000003
【図２】
0003104437.tif 000004
【図３】
0003104437.tif 000005
【図４】
0003104437.tif 000006
【図５】
0003104437.tif 000007
【図６】
0003104437.tif 000008
【図７】
0003104437.tif 000009
【図８】
0003104437.tif 000010
【図９】
0003104437.tif 000011
【図１０】
0003104437.tif 000012
【図１１】
0003104437.tif 000013
【図１２】
0003104437.tif 000014
【図１３】
0003104437.tif 000015